(57)【要約】【課題】比較的簡単な構造でしかもカプセル状商品を多数個収容しつつ、円滑に１個づつ取り出すことができ、ディスプレイプレー効果の高いカプセル状商品の小出し装置を提供する。【解決手段】内部にグッズを装填したカプセルを収容し、適宜取り出すための装置であり、カプセルの収納室を画成する本体の前側下部に排出口を設けるとともに、排出口の前方を囲むガードを設け、前記本体にはカプセルを受支する底板をこれの両側を軸として前後傾動可能に支架させ、かつ、前記底板の前側縁部には、前記排出口を貫いてガード内に位置する受け皿を突設し、底板の後側縁部には底板を常態において後傾させるための付勢された制御部を設けた。【選択図】図７
0003128071.tif 000002
【実用新案登録請求の範囲】
【請求項１】
内部にグッズを装填したカプセルを収容し、適宜取り出すための装置において、前記カプセルの収納室を画成する本体の前側下部に排出口を設けるとともに、排出口の前方を囲むガードを設け、前記本体にはカプセルを受支する底板をこれの両側を軸として前後傾動可能に支架させ、かつ、前記底板の前側縁部には、前記排出口を貫いてガード内に位置する受け皿を突設し、底板の後側縁部には底板を常態において後傾させるための付勢された制御部を設けたことを特徴とするカプセル状商品小出し装置。
【請求項２】
制御部が本体の後側下部に設けたガイド穴から外方に突出する片からなり、本体に留められた弾性部材により下方に牽引されている請求項１に記載のカプセル状商品小出し装置。
【請求項３】
底板がカプセルの排出口への誘導手段を有している請求項１に記載のカプセル状商品小出し装置。
【請求項４】
前記誘導手段は、底板上に固定され、排出口近傍の左または右部位で本体内壁に近い位置のストッパ用の突起と、排出口近傍の右または左部位で前記ストッパ用の突起との距離がカプセルの大きさよりも適度に大きく本体内壁間との距離がカプセルと同程度の誘導用の突起からなる請求項３に記載のカプセル状商品小出し装置。
【請求項５】
前記誘導手段は、底板に左側と右側で高さにレベル差を形成し、排出口近傍の高位側で本体内壁に近い位置から内方に障壁を設けたものである請求項３に記載のカプセル状商品小出し装置。
【請求項６】
前記誘導手段は、底板に左側と右側で高さにレベル差を形成し、かつ、底板上に、排出口近傍の左または右部位で本体内壁に近い位置のストッパ用の突起と、排出口近傍の右または左部位で前記ストッパ用の突起との距離がカプセルの大きさよりも適度に大きく本体内壁間との距離がカプセルと同程度の誘導用の突起を設けたものである請求項３に記載のカプセル状商品小出し装置。
【請求項７】
カプセルが球体であり、本体が横断面において曲率をもつ形状をなし、キャラクターなどの特徴を平面的または立体的に表す装飾部を周囲に有している請求項１ないし６のいずれかに記載のカプセル状商品小出し装置。
【請求項８】
底板の左右に突部が形成されており、本体には、前記突部を貫挿するスリットを有している請求項１ないし7のいずれかに記載のカプセル状商品小出し装置。
【請求項９】
本体が帯体からなり、両端に筒形状に固定するための接続部を有するとともに、中間域には、底板の受け皿を貫通させる排出口と、底板の制御片を貫通させるガイド穴と、突部を貫通させるスリットを配設している請求項１ないし8のいずれかに記載のカプセル状商品小出し装置。
【考案の詳細な説明】
【技術分野】
【０００１】
本考案はカプセル状商品の小出し装置に関する。
【背景技術】
【０００２】
コンビニエンスストアなどの店舗やイベント会場などにおいて、ディスプレイを兼ねて配置し、内部に多数個収容した景品や商品(以下商品という)を顧客が操作することにより取り出せるようにした装置が知られている。
かかる装置においては、商品本体は人気キャラクターをかたどった人形、玩具、フィギアなどのグッズが多く、通常、外部から内容物が視認しにくいカプセルに装填されており、何のグッズが収容されているかわからない状態で取り出すのでゲーム的な要素が加味され、それにより購買者に興趣を抱かせ、集客の向上につながる効果を期待できる。
【０００３】
しかし、従来のこの種の装置は、直方体状の箱体の前面に常時開放された繰り出し口を設けるとともに、箱体内には繰り出し口に向かって前傾した底板を設け、常に商品が繰り出し口内に存するようにしていた。
このため、第１に装置の形態がありきたりで人目を向かせる効果が乏しく、第２に箱体内に数多くの商品を収容したときに詰りが生じやすく、円滑に取り出せないことがあり、第３に繰り出し口が常時開放されているため、複数個のカプセルが一度に出てしまい、ゲーム的な面白さが乏しく、また、選択したもの以外をいちいち箱内に戻すわずらわしさが付きまとっていた。
【特許文献１】特開２００３−１６５０５号公報
【考案の開示】
【考案が解決しようとする課題】
【０００４】
本考案は前記のような問題点を解消するためになされたもので、その目的とするところは、グッズを収納したカプセルを多数個収容しつつ、円滑に１個づつ取り出すことができ、ディスプレイプレー効果の高い、比較的簡単な構造のカプセル状商品の小出し装置を提供することにある。
【課題を解決するための手段】
【０００５】
上記目的を達成するため本考案は、内部にグッズを装填したカプセルを収容し、適宜取り出すための装置において、カプセルの収納室を画成する本体の前側下部に排出口を設けるとともに、排出口の前方を囲むガードを設け、前記本体にはカプセルを受支する底板をこれの両側を軸として前後傾動可能に支架させ、かつ、前記底板の前側縁部には、前記排出口を貫いてガード内に位置する受け皿を突設し、底板の後側縁部には底板を常態において後傾させるための付勢された制御部を設けたことを特徴としている。
【考案の効果】
【０００６】
本考案によるときには、カプセルの取り出し操作を行わないときには、制御部に対する付勢力で底板が後傾し、前側の受け皿が持ち上がって排出口のほとんどを塞ぐので、カプセルを確実に収容室内に留めておくことができる。
【０００７】
受け皿が前傾すれば底板が前傾して受け皿が排出口を開くので、カプセルが受け皿に受け止められ、同時に制御部の復元力で底板が後傾姿勢に戻る。このため、カプセルが１個づつ取り出されるという興趣を引くゲーム的購買を行え、購買意欲を高めることができる。
また、底板は常態において後傾し、カプセルの取り出し時に前傾し、取り出しが終わると再び後傾し、後傾位置に停止したときに衝撃が生ずるので、収容されているカプセルに効果的に刺激を与えることができ、重なりや重みによる詰りの発生を防止することができる。
【考案を実施するための最良の形態】
【０００８】
制御部が本体の後側下部に設けたガイド穴から外方に突出する片からなり、本体に留められた弾性部材により下方に牽引されている。
これによれば、底板を簡単かつ確実に常態において後傾させ、操作片兼受け皿で排出口をほぼ閉じておくことができるとともに、操作片兼受け皿への押圧を解除したときに排出口を瞬時に塞いで余分なカプセルの排出を抑制することができ、しかも構造を簡易なものとなしえる。
【０００９】
底板がカプセルの排出口への誘導手段を有している。
これによれば、底板の前後の傾動による刺激作用に加えて、移動経路が決められるので、カプセルが数段に重なっても詰りが防止され、スムーズに排出口に導くことが可能になる。
前記誘導手段は、底板上に固定され、排出口近傍の左または右部位で本体内壁に近い位置のストッパ用の突起と、排出口近傍の右または左部位で前記ストッパ用の突起との距離がカプセルの大きさよりも適度に大きく本体内壁間との距離がカプセルと同程度の誘導用の突起からなる。
これによれば、簡単で安価な構造により誘導作用を得ることができる。
【００１０】
前記誘導手段は、底板に左側と右側で高さにレベル差を形成し、排出口近傍の高位側で本体内壁に近い位置から内方に障壁を設けたものでもよい。
これによれば、底板が前後に傾動した際に左右にも傾動した状態が得られるので、詰り防止効果が高く、また、カプセルが螺旋状に一方向に移動し、障壁に当接して排出口の背後に到るので、確実な誘導作用を得ることができる。
【００１１】
前記誘導手段は、底板に左側と右側で高さにレベル差を形成し、かつ、底板上に、排出口近傍の左または右部位で本体内壁に近い位置のストッパ用の突起と、排出口近傍の右または左部位で前記ストッパ用の突起との距離がカプセルの大きさよりも適度に大きく本体内壁間との距離がカプセルと同程度の誘導用の突起を設けた構造でもよい。
これによれば、底板の前後方向の傾動に加え、レベル差により左右方向でも傾動されるため、揺り動かし効果が高くなり、多数のカプセルを収容しても、詰りが確実に防止され、かつ、カプセルを螺旋状に一方向に移動させて排出口に導くことができる。
【００１２】
カプセルが球体であり、本体が横断面において曲率をもつ形状をなし、キャラクターなどの特徴を平面的または立体的に表す装飾部を周囲に有している。
これによれば、グッズを装填したカプセルを収容する部屋の外観形状がキャラクターなどの特徴を端的に表したユニークなものとなるので、非常に目立つディスプレイとすることができる。また、カプセルが球体で、本体が筒状といった曲率形状を有しているので、カプセルの移動がスムーズで、確実に１個ずつ取出しを行える。
【００１３】
底板の左右に突部が形成されており、本体には、前記突部を貫挿するスリットを有している。
これによれば、簡単な構造で傾動用の支軸機構を得ることができる。
【００１４】
本体が帯体からなり、両端に筒形状に固定するための接続部を有するとともに、中間域には、底板の受け皿を貫通させる排出口と、底板の制御片を貫通させるガイド穴と、突部を貫通させるスリットを配設している。
これによれば、底板を内在させつつ帯体を巻いて筒にすることで簡単に傾動自在な底板を内蔵した本体を組立てることができ、コストも安く、使用後の廃棄も容易である。
【実施例１】
【００１５】
以下添付図面を参照して本考案の実施例を説明する。
図１ないし図８は本考案によるカプセル状商品小出し装置の第１実施例を示しており、図１ないし図３において、Ａは本考案の小出し装置、Ｂはこれに装填して取り出されるカプセルである。
前記小出し装置Ａは、基本的には、本体１と、これの内部所要レベルに配された盤状の底板(台座)２と、前記本体１の正面側に位置したガード３とを備えている。
【００１６】
前記カプセルＢはこの例では球体の形状をなし、図５のように、嵌合あるいはねじによって結合・分離可能な合成樹脂製の２つの中空半球体４，４からなり、内部には、キャラクターをかたどった人形、玩具、フィギアなど所望のグッズＣを装填している。グッズＣは幾つかの相違した種類であることがゲーム性を高める意味から好ましい。
【００１７】
前記本体１は、正面側下部に排出口６を有しており、該排出口６は前記カプセルＢのスムーズな通過を許すように、カプセルＢよりも大きな幅と高さを有しており、この実施例では、本体１の下端から所要高さでアーチ形状を欠設することにより構成されている。
前記ガード３は前記排出口６の前方を平面Ｕ状に囲むように位置し、この例では、図６のように、両端部分が排出口６の両側面から本体１内に挿入され、本体内面に定着されている。ガード３は、図３のように前面部位にカプセルＢの取り出しを容易にするための凹入部３０を形成している。なお、実施例では取り出し用ガード３と輪郭を同じくする座片を下面に設けているが、これは必ずしも要さない。
【００１８】
前記本体１は、前記排出口６とほぼ９０度変位した両側位置に、図６と図８のように、前記底板２を支持し傾動軸を構成するための横スリット７、７を有している。また、前記本体１の後側には、排出口６とほぼ１８０度対称位置に、前記底板２を常態において後傾状態に支持させておき、要時に所要角度の前傾を許すために窓穴状のガイド穴８が形成されている。ガイド穴８の下端面は前記横スリット７、7の高さレベルよりも低位に位置している。そして、ガイド穴８よりも下方の本体部位には、図８と９のように、底板２の後傾を得るための弾性部材５の留め部９が横穴として形成されている。
【００１９】
前記本体１はその外周に装飾部１０を有している。この装飾部は任意であるが、この例では、動画や漫画の主人公を含むキャラクターなどの頭部、胴部、手足などの特徴的形状を表す手法が採用されている。
詳しくは、本体１の外周面に目、鼻、口などの特徴的絵柄１０ａが印刷的手法で施され、その下部に胴部を現すための帯１０ｂが巻着され、その帯１０ｂの領域には、手を模した片１０ｃの後部が本体に形成したスリットに差し込まれることで固定され、帯１０ｂの下方でガード３の側方には、脚を模した片１０ｄが同様に本体に形成したスリットに差し込まれている。したがって、本体１は全体として立体的なあるキャラクターなどの形状が創成されている。
【００２０】
前記底板２は本体１の内寸法と同程度の外寸法を有しており、周縁の一箇所には、操作片を兼ねた受け皿１１が半径方向に延設されている。該受け皿１１は前記排出口６を貫いて前記ガード３の先端付近まで突出する舌状形状となっており、表面にはＰＵＳＨなどの表示が付されている。受け皿１１は平面が直線状であってもよいし、カプセルＢの形状に対応した凹部を有していてもよい。
【００２１】
前記底板２の縁部には、図６と図８のごとく、前記受け皿１１とほぼ９０度位相をずらせた位置に、一対の支軸形成用の突起１２、１２が設けられている。それら突起１２、１２は前記本体１の横スリット７、７を貫挿しており、それにより底板２が本体１内で前後方向に傾転可能に支架され、底板２の上方にカプセルＢの収容室が構成されている。
【００２２】
さらに前記底板２の前記受け皿１１とほぼ１８０度対称位置の縁部には、前記本体１のガイド穴８を貫いて突出する制御片１３が半径方向に延設されている。制御片１３はガイド穴８の内幅とほぼ一致する形状をなしており、この例では、同時にキャラクターの尻尾を模す装飾要素も兼ねている。
【００２３】
前記制御片１３にはこれを常態において押下げ方向に付勢する弾性部材５が取り付けられており、制御片１３とガイド穴８とこの弾性部材５により制御部が構成される。
弾性部材５の限定はないが、この例では輪ゴムが用いられ、前記本体１のガイド穴８よりも下方に設けられた穴からなる留め部９を通して半分が内部に導かれ、図６のように、端のリング部分５０が制御片１３の付け根部上面側に掛け回され，残る半分の端のリング部分５１が本体外に位置する部位上面に掛け回され、これらで強制的に制御片１３を下方に牽引し、それにより、底板２を図７の実線のように後傾させるようになっている。
もちろん制御片１３は必ずしも本体外に突出しなくてもよく、この場合は、弾性部材５本体の内面に端部が固定され、他端部が制御片１３に固定されればよい。
【００２４】
前記底板２は単純な平坦面からなっていてもよいが、カプセルＢが所要数たとえば２０〜３０個収容室に入れられた場合、重なりあいなどによってカプセルＢの移動が円滑に行かなくなる可能性がある。そこで、底板２にはカプセルＢの排出口６への誘導手段を設けることが好ましい。
【００２５】
第１態様においては、図４，６，７のように、排出口６の近傍の左（または右）部位に、本体内壁との間の距離がカプセルＢの直径よりも小さいストッパ用の突起１４ａを設け、排出口６の近傍の右（または左）部位には、前記ストッパ用の突起１４ａとの距離がカプセルＢの大きさよりも適度に大きく、かつ、本体内壁間との距離がカプセルＢの大きさと同程度の誘導用の突起１４ｂを配設している。実施例では、さらに、前記突起と間隔をおいて、非対称位置に少なくとも１個づつの分散用の突起１４ｃ、１４ｃを配設している。これらは障害物として機能し、カプセルＢ間に接触を抑制する隙間をあける作用がある。
【００２６】
前記突起１４Ａ〜１４Ｃは合成樹脂製の小球を半断したものやウレタン類を半球状にしたものを用いることができ、これらの場合には下面を底板に接着すればよい。あるいはまた半球状の頭部を持つハトメ金具も用いることができ、この場合には下面から伸びる脚を底板に貫通させて折り曲げ固定すればよい。
【００２７】
前記本体１、底板２、ガード３などは合成樹脂の成形体で構成されていてもよいが、コストを下げ、使用済みとなったときの廃棄も容易にするため、好ましくは、底板２を含めた全体を紙質で構成する。
そして、底板２を内装支架させての組み立てを容易にするため、図９のように展開状の帯体１００を使用し、この帯体１００の両端域に筒形状固定のための接続部として、突片１００ａとこれを挿し込み固定するスリット１００ｂが形成され、これらの配設部位内の領域に前記横スリット７、７、排出口６、ガイド穴８、留め部としての穴９を形成している。
【００２８】
また、ガード３も展開状の帯片３００で構成され、両端に本体に固定するための突片３００ａを連設している。また、底板２も紙質で構成されることが好ましく、円盤状に主部２００に、兼受け皿１１、支軸用突起１２、１２及び制御片１３が一体に形成されるか、または別体に作ったそれらパーツを接着して構成される。
【実施例２】
【００２９】
図１０と図１１は本考案の第２実施例を示している。
この実施例においては、底板２のカプセルの排出口６への誘導手段として、底板２の全体の高さを一様とせず、左側半部(または右側半部)に高位レベル面１５を形成し、右側半部(または左右側半部)に低位レベル面１６を形成し、それら両レベル面を滑らかに連続させ、全体として螺旋面を創成させている。そして、排出口近傍側方の高位レベル側領域に、本体１の内壁に近い位置から内方に延びる障壁１８を設け、高位レベル面1５からダイレクトに排出口６へカプセルＢが移動しないようにしている。
【００３０】
前記低位レベル面１６は、これを転動したカプセルＢが排出口６の手前の部分で本体内壁に偏りを起こさず、排出口６へと確実に導かれるようにするため、障壁面ないし高位レベル面１５と対向する縁部領域に、外縁から内方に適度に下傾した最終誘導面１７を形成している。
図示するものでは、左側を高位レベル面１５とし、右側を低位レベル面１６としており、これらと前記最終誘導面１７を得るために、底板２を平坦な下板２ａとこれにウレタンなどの高さ調整部材２ｃを介して上板２ｂを張設している。
その他の構成は第１実施例と同様であるから説明は援用することとし、同じ部分に同じ符号を付し、説明は省略する。
【００３１】
なお、図示するものはあくまでも本考案の数例であり、これに限定されるものではない。
１）本考案において「カプセル」とは、グッズを装填して封入した容器の総称であり、実施例のような真円状の球体、あるいは長円状、楕円状、ラブビーボール状の球体や異形状の球体を主とするが、筒状体、カップ状体，錐形状体などを含む。しかし、本体１からの排出を容易にする点から、曲率部分が少なくとも一部にあるなど転動性を備えた形状をなしていることが好ましい。
２）本体１は、カプセル形状との関係から、横断面において曲率を有する形状、たとえば真円状、楕円形、長円形の筒であることが好ましいが、多角形の角筒ないしこれに類する形状であってもよい。底板は本体の断面形状に即した形状が採用される。
３)本体１は蓋をかぶせるようにしてもよい。
４）底板２は摩擦係数の小さな表面を有していてもよい。
５）受け皿１１は底板２を傾動させる操作手段を兼ねているが、場合によっては、底板２を押圧して傾動力を付与する操作手段を別途設けてもよい。
【００３２】
６）底板２の排出口６への誘導手段は、第１実施例と第２次実施例を組合せてもよい。すなわち、たとえば、左側半部(または右側半部)に高位レベル面を形成し、右側半部(または左右側半部)に低位レベル面を形成し、前記高位レベル面と対向する縁部領域に、外縁から内方に適度に下傾した最終誘導面を形成し、これらからなる螺旋状面に、第１実施例のようにストッパ用の突起と誘導用の突起などを配してもよい。
こうすれば、底板２は、前後方向の傾動に加え、レベル差により左右方向でも傾動されることになり、揺り動かし効果が高くなるので、多数のカプセルを収容しても、詰りを起こさせることなく円滑に排出口へと導くことができる。
【００３３】
実施例の使用法と作用を説明すると、本体１を使用場所たとえばコンビニエンスストアなどの棚に配し、本体１内にカプセルＢを所要数収容しておく。図２はこの状態である。
本体１が円筒状である上に、装飾部１０によって全体としてキャラクターなどの固有の形態をなしているので、それによりかもし出されるユニークさや愛らしさにより、人目を引くディスプレイ効果を発現できる。
【００３４】
配置状態においては、底板２の後部にある制御片１３が弾性部材５により下方に牽引されているため、底板２は図７のように後傾状態とされ、それに伴い、先端側の受け皿１１が図１のように排出口６の高い位置にある。このため、カプセルＢが外部からほとんど見えず、体裁がよいものとなり、また、収容室内のカプセルＢは、本体１の後側に向かって移動気味となるので、排出口６から不用意に排出されるおそれがない。
【００３５】
顧客が購買するときには、ガード３内にある前記受け皿１１を、底板２の制御片１３を下方に牽引している弾性部材５の弾性に抗して手指で下方に押圧するものであり、こうすれば、底板２は本体１の左右の横スリット７，７に嵌まっている支軸用突片１２、１２が支点となって図７の仮想線のように前傾し、受け皿１１が下がって排出口６を開放する。
【００３６】
前記傾動作用により収容室内のカプセルＢは底板２の前傾により転動し、任意のひとつのカプセルＢが排出口６を潜って転がり出てくる。受け皿１１のまわりをガード３が囲んでいるので、カプセルＢは外部に転がり出ることがなく受け皿１１に受支される。したがって、カプセルＢの取り出しを楽に行える。
【００３７】
上記のようにカプセルＢが受け皿１１に受支されたときには、カプセルＢが大きな面積を占め、受け皿１１をもはや押圧できなくなるので、弾性部材５の復元力により瞬間的に制御片１３が下方に牽引され、底板２が再び後傾する。
この動作により、カプセルＢが後方に向けて転動、移動するとともに受け皿１１が排出口を塞ぐので、他の状カプセルが排出されることがなく、受け皿１１の押圧のたびに、カプセルは正確に１個づつ取り出される。したがってゲーム的に面白みのある購買形態を実現できる。
【００３８】
前記のように、底板２がカプセルＢの取り出しをしないときとするときでシーソー運動を行うので、収容室のカプセルＢは位置が固定されず、よく動かされ、かつ、制御片１３が牽引されてガイド穴８に当たって移動がストップしたときに衝撃が発生し、それによりカプセルＢが適度に上方に跳ね上げられる。したがってカプセルＢは詰りにくくなる。
【００３９】
しかも、第１実施例では、底板２上に、本体内壁との間の距離がカプセルよりも小さいストッパ用の突起１４ａと、排出口６の近傍の右（または左）部位にあって、前記ストッパ用の突起１４ａとの距離がカプセルＢよりも適度に大きく、かつ、本体内壁間との距離がカプセルＢの大きさと同程度の誘導用の突起１４ｂを配設しているので、カプセルＢはランダムに排出口６に向かわず、決められた経路で排出口６に向かうことになり、円滑な取り出しを行うことができる。
【００４０】
第２実施例では、底板２の前後の傾動に加えて、底板２が、左側と右側で高さレベル差のある面１５，１６、１７を形成し、排出口近傍の高位側で本体内壁に近い位置から内方に障壁１８を設けているので、カプセルＢは左右にも転動され、詰りをよく防止できるとともに、受け皿１１の押圧による底板前傾時にカプセルＢは螺旋状に転動し排出口６に向かう。したがって、詰りが防止されるとともに確実、円滑な取り出しを行うことができる。
【００４１】
図９のような紙質の展開材料を用いた場合、帯体１００を丸めながら底板２００(２)を内部に配して、横スリット７、７に支軸用突起１２、１２を貫挿し、排出口内に操作片兼受け皿１１を嵌め、ガイド穴８に制御片１３を貫挿し、帯体端部の突片１００ａをスリット１００ｂに差し込めば底板２を傾動自在に内蔵した筒状の本体１が得られ、あとはガード３の両端を本体１に貼り付け、装飾部材を取り付けることで、短時間で簡単に組立てることができる。
【産業上の利用可能性】
【００４２】
本考案は店舗等に配置して販売手段として使用されるほか、カプセルと装置をキットとし、ホームパーティーなどにおけるくじ引き的アトラクション手段としても利用できる。
【図面の簡単な説明】
【００４３】
【図１】本考案によるカプセル状商品小出し装置の一実施例を示す斜視図である。
【図２】本考案装置を上方から見た斜視図である。
【図３】カプセルを取り出した状態を示す斜視図である。
【図４】本体内の状態を覗いた斜視図である。
【図５】本考案で用いられるカプセルを例示した縦断面図である。
【図６】本考案装置の横断面図である。
【図７】図６のＸ−Ｘ線に沿う断面図である。
【図８】図６のＹ−Ｙ線に沿う断面図である。
【図９】本考案装置の用材の例を示す平面図である。
【図１０】本考案の第２実施例を示す平面的斜視図である。
【図１１】第２実施例における底板の斜視図である。
【符号の説明】
【００４４】
Ａ  本考案装置
Ｂ  カプセル（カプセル状商品）
Ｃ  グッズ
１  本体
２  底板
３  ガード
５  弾性部材
６  排出口
７  スリット
８  ガイド穴
１０  装飾部
１１  受け皿
１２  支軸用突起
１３  制御片
１４ａ、１４ｂ、１４ｃ  突起
１５  高位レベル面
１６  低位レベル面
１８  障壁
【図１】
0003128071.tif 000003
【図２】
0003128071.tif 000004
【図３】
0003128071.tif 000005
【図４】
0003128071.tif 000006
【図５】
0003128071.tif 000007
【図６】
0003128071.tif 000008
【図７】
0003128071.tif 000009
【図８】
0003128071.tif 000010
【図９】
0003128071.tif 000011
【図１０】
0003128071.tif 000012
【図１１】
0003128071.tif 000013